(57)【要約】      （修正有） 【課題】簡易、かつ都度接着剤を接着面に均一に絞り出すノズル及びそれを含む壁面、木材、床面、路面などに発生した割目にシーリング材を注入する補修装置を提供する。【解決手段】上記課題を解決するために、流動性のある接着剤１７が入れられた容器１６の先端を差し込む差込口２ａを有する差込部材２と、前記差込部材２と内部空間８を設け嵌着し、吐出対象物側に液体又は粘性物の吐出流路となる前記内部空間８と連結する貫通孔６ａを有する複数の吐出口６が設けられた底面部材とからなり、前記接着剤１７を対象物の全面に均一に塗布することを特徴とするノズルの構成、とした。【選択図】図１１
2008296194.tif 000002
【特許請求の範囲】
【請求項１】
流動性のある接着剤が入れられた容器の先端を差し込む差込口を有する差込部材と、前記差込部材と内部空間を設け嵌着し、吐出対象物側に接着剤の吐出流路となる前記内部空間と連結する貫通孔を有する複数の吐出口が設けられた底面部材とからなり、前記接着剤を対象物の全面に均一に塗布することを特徴とするノズル。
【請求項２】
前記底面部材の外周部に、前記吐出口の長さより長いスペーサが取り付けられていることを特徴とする請求項１に記載のノズル。
【請求項３】
前記スペーサの先端が、対象物に係止することを特徴とする請求項２に記載のノズル。
【請求項４】
前記底面部材の中央部に、前記吐出口の長さより長い嵌合突起が取り付けられており、前記嵌合突起の先端部が対象物に設けられた開口に嵌合することを特徴とする請求項１又は請求項２に記載のノズル。
【請求項５】
前記複数の吐出口が、底面部材の底面中心部から同心円状に間隔を置き複数列配置されていることを特徴とする請求項１に記載のノズル。
【請求項６】
前記排出口の貫通孔の径及び高さを変更し、対象物の全面でなく部分的に接着剤を塗布すること、又は一部の貫通孔の径及び高さを変更し、吐出口からの接着剤の吐出量を調整し、対象物に部分的に接着剤を塗布することを特徴とする請求項１に記載のノズル。
【請求項７】
接着剤入り容器の先端が嵌る請求項１〜請求項６の何れかに記載のノズルと、接着剤が吐出され、補修面に貼付され弾性体の収縮圧力で、割目にシーリング剤を注入する低圧注入容器とからなることを特徴とする補修装置。
【請求項８】
前記低圧注入容器が、シーリング剤の注入流路である開口を有し、補修面に貼付される底部材と、前記底部材の貼付される面と反対側の面の内部を覆い、シーリング剤を充填する充填部が連接された弾性体と、前記底部材と嵌着し、前記弾性体の外周部を押圧し固定する押部とからなり、前記底部材と弾性体の間に充填されたシーリング剤を前記弾性体の収縮力で前記開口から割目に注入することを特徴とする請求項７に記載の補修装置。
【請求項９】
前記充填部が、シーリング剤を注入するノズルを差し込む差込路を内部に有する突起と、前記差込路の内部末端部を密封し、シーリング剤注入時にノズルの充填圧で開口し、充填したシーリング剤の差込路への逆流を防止する逆止弁とからなることを特徴とする請求項８に記載の補修装置。
【発明の詳細な説明】
【技術分野】
【０００１】
本発明は、接着剤を接着面に均一に絞り出すノズル及びそれを含む壁面、木材、床面、路面などに発生した割目にシーリング材を注入する補修装置に関する。
【背景技術】
【０００２】
従来、建造物の壁面、床、タイル、屋根瓦等に発生したひび割れ部位に、シーリング剤等を注入して補修する場合、カートリッジ管や、吸い込みガン等の充填筒部材の先端に設けられているノズル取り付け部位に、先細り状で合成樹脂製のノズルを取り付け、そのノズルの先端をカッター等で切除し、切除して開いた開口をひび割れ部位に当て、充填筒部材内のシーリング剤等に圧力をあたえて押し出し、切除して開いた開口を経て、ひび割れ部位の注入シールを行っていた。
【０００３】
しかしながら、従来の補修では、ひび割れ部位の内部にまで、注入し難く、ひび割れ部位の周縁に拡がるようにしか、シーリング剤等を配置できなかった。
【０００４】
そのため、充填筒部材からシーリング剤等をひび割れ部位の周縁にまで流出させた後、へら等を利用して、ひび割れ部位の内部に、シーリング剤等を押し込み、補修を行っていた。
【０００５】
その結果、シーリング剤等が、ひび割れ部位周縁に残ることとなって、目立ち、補修後に、補修の跡が浮きだし、外観の美観を低下させていた。
【０００６】
また、特許文献１の図３に示すように、補修工具１０を壁１に接着剤２を介して貼付し注入する方法も行われていた。
【特許文献１】特開２００１−１０７５７１号公報
【発明の開示】
【発明が解決しようとする課題】
【０００７】
しかしながら、特許文献１に記載の補修工具１０は、フランジ１２の裏面に接着剤２をチューブから適量絞り出し、ヘラなどで均一に広げた後、壁１などに貼り付けていた。従って、接着剤２量が不均一で、塗り広げる作業が繁雑であった。
【０００８】
そこで、本発明は、簡易、かつ都度接着剤を接着面に均一に絞り出すノズル及びそれを含む壁面、木材、床面、路面などに発生した割目にシーリング材を注入する補修装置を提供することを目的にするものである。
【課題を解決するための手段】
【０００９】
本発明は、上記の課題を解決するために、流動性のある接着剤１７が入れられた容器１６の先端を差し込む差込口２ａを有する差込部材２と、前記差込部材２と内部空間８を設け嵌着し、吐出対象物側に接着剤１７の吐出流路となる前記内部空間８と連結する貫通孔６ａを有する複数の吐出口６が設けられた底面部材３とからなり、前記接着剤１７を対象物の全面に均一に塗布することを特徴とするノズルの構成、
前記底面部材３（３ｂ）の外周部に、前記吐出口６の長さより長いスペーサ４、５（５ａ）が取り付けられていることを特徴とする前記ノズルの構成、
前記スペーサ４、５（５ａ）の先端が、対象物に係止することを特徴とする前記ノズルの構成、
前記底面部材３（３ｂ）の中央部に、前記吐出口６の長さより長い嵌合突起７が取り付けられており、前記嵌合突起７の先端部が対象物に設けられた開口に嵌合することを特徴とする前記ノズルの構成、
前記複数の吐出口６が、底面部材３（３ｂ）の底面中心部から同心円状に間隔を置き複数列配置されていることを特徴とする前記ノズル１の構成、
前記吐出口６、６ｂ、６ｃ・・・の貫通孔６ａ、６ｅ、６ｄ・・・の径及び高さを変更し、対象物の全面でなく部分的に接着剤１７を塗布すること、又は一部の貫通孔６ａの径及び高さを変更し、吐出口６からの接着剤の吐出量を調整し、対象物に部分的に接着剤を塗布することを特徴とする
前記のノズルの構成、
接着剤１７入り容器１６の先端が嵌る前記何れかに記載のノズルと、接着剤１７が吐出され、補修面に貼付され弾性体１２の収縮圧力で、割目にシーリング剤を注入する低圧注入容器とからなることを特徴とする補修装置の構成、
前記低圧注入容器が、シーリング剤の注入流路である開口１３ａを有し、補修面９に貼付される底部材１３と、前記底部材１３の貼付される面と反対側の面の内部を覆い、シーリング剤を充填する充填部１５が連接された弾性体１２と、前記底部材１３と嵌着し、前記弾性体１２の外周部を押圧し固定する押部１４とからなり、前記底部材１３と弾性体１２の間に充填されたシーリング剤を前記弾性体１２の収縮力で前記開口１３ａから割目１０に注入することを特徴とする前記記載の補修装置の構成、及び前記充填部１５が、シーリング剤を注入するノズルを差し込む差込路１５ｂを内部に有する突起１５ａと、前記差込路１５ｂの内部末端部を密封し、シーリング剤注入時にノズルの充填圧で開口し、充填したシーリング剤の差込路１５ｂへの逆流を防止する逆止弁１５ｃとからなることを特徴とする前記記載の補修装置の構成とした。
【発明の効果】
【００１０】
本発明は、以上の構成であるから以下の効果が得られる。接着剤を絞り出す本発明であるノズルによれば、接着面に接着剤を毎回、所定量を容易に均一に絞り出すことができる。また、接着剤の液垂れが少なく、余剰分の接着剤を取り除くことがないため接着剤の無駄が少ない。また、ヘラ等で接着剤を塗布面一面に塗り広げる作業がなく作業性が良い。
【００１１】
吐出口が複数あるため接着剤の絞り出しに強い力を要せず、また内部空間の高さが、ノズル径より広いため内部空間に接着剤を空気を混入せず充満でき、絞りミスが少ない。
【００１２】
吐出口の先端と接着面とにスペーサによって一定の距離（Ｌ）があるため、接着剤が滴状に絞りだされ、吐出口の配置により絞り出された隣り合う接着剤同士が間隔を置き配置されるため、接着時に接着面と接着対象との間の空気が押圧により、接着境界から空気が効率よく除かれるため、接着力が低下することがない。また、スペーサ先端と接着対象が係合すれば、横方向の位置決めを確実に行える。
【００１３】
嵌合突起を備えるため、接着対象である低圧注入容器に嵌合し、接着剤絞り出し吐出口の位置決め、回転方向のズレを防ぐことが容易にでき、違う面に誤って塗布することがなく、接着剤の滴下位置がズレることもない。
【００１４】
複数ある排出口を底面中心から同心円状に配置することで、常に適量の接着剤で、接着対象を接着面に滴下することができる。
【００１５】
全部又は一部の排出口の貫通孔の径及び高さを変更し、対象物の全面でなく部分的に接着剤を塗布することにより、吐出される接着剤量を目的に応じて変更させることができる。
【００１６】
接着剤の吐出対象を低圧容器とすることで、確実に割目にシーリング剤を注入することができる。
【発明を実施するための最良の形態】
【００１７】
本発明は、簡易、かつ都度接着剤を接着面に均一に絞り出すノズル及びそれを含む壁面、木材、床面、路面などに発生した割目にシーリング材を補修する補修装置を提供する目的を流動性のある接着剤１７が入れられた容器１６の先端を差し込む差込口２ａを有する差込部材２と、前記差込部材２と内部空間８を設け嵌着し、吐出対象物側に接着剤１７の吐出流路となる前記内部空間８と連結する貫通孔６ａを有し、底面部材３ｂの底面中心部から同心円状に間隔を置き複数列配置され、前記吐出口６、６ｂ、６ｃ・・・の貫通孔６ａ、６ｅ、６ｄ・・・の径及び高さを変更し、対象物の全面でなく部分的に接着剤１７を塗布すること、又は一部の貫通孔６ａの径及び高さを変更し、吐出口６からの接着剤の吐出量を調整し、対象物に部分的に接着剤を塗布する複数の吐出口６が設けられ、前記底面部材３ｂの外周部に、前記スペーサ５ａの先端が、対象物に係止する前記吐出口６の長さより長いスペーサ４、５（５ａ）が取り付けられ、前記底面部材３ｂの中央部に、前記吐出口６の長さより長い嵌合突起７が取り付けられ、前記嵌合突起７の先端部が対象物に設けられた開口に嵌合する底面部材３からなる前記接着剤１７を対象物の全面に塗布することを特徴とするノズルの構成、
並びに接着剤１７入り容器１６の先端が嵌る前記何れかに記載のノズルと、シーリング剤の注入流路である開口１３ａを有し、補修面９に貼付される底部材１３と、前記底部材１３の貼付される面と反対側の面の内部を覆いシーリング剤を注入するノズルを差し込む差込路１５ｂを内部に有する突起１５ａと、前記差込路１５ｂの内部末端部を密封し、シーリング剤注入時にノズルの充填圧で開口し、充填したシーリング剤の差込路１５ｂへの逆流を防止する逆止弁１５ｃよりなりシーリング剤を充填する充填部１５が連接された弾性体１２と、前記底部材１３と嵌着し、前記弾性体１２の外周部を押圧し固定する押部１４よりなる接着剤１７が吐出され、補修面に貼付され弾性体１２の収縮圧力で、割目にシーリング剤を注入する低圧注入容器１１と、からなることを特徴とする補修装置１８ａの構成とすることで実現した。
【実施例１】
【００１８】
図１は、本発明であるノズルの正面図である。図２は、本発明であるノズルの平面図である。図３は、本発明であるノズルの背面図である。図４は、本発明であるノズルの左側面図である。
【００１９】
本発明であるノズル１は、流動性のある接着剤１７が入れられた容器１６の先端を差し込む差込口２ａを有する差込部材２と、前記差込部材２と内部空間８を設け嵌着し、吐出対象物側に接着剤１７の吐出流路となる前記内部空間８と連結する貫通孔６ａを有する複数の吐出口６が設けられた底面部材３と、前記底面部材３の外周部に、前記吐出口６の長さより長い左右のスペーサ４、５と、前記底面部材３の中央部に前記吐出口６の長さより長く、先端部が対象物に設けられた開口に嵌合する嵌合突起７とからなる。これにより、前記接着剤１７を対象物の全面に均一に塗布することができる。
【００２０】
差込部材２は、接着剤が入れられた容器、例えばチューブ、ピストンなどの先端部（ノズル）を差し込む部分である。差し込むだけである場合は、内部側壁２ｃは内部空間８に向かって、狭くなる形状が好ましい。接着剤を内部に注入する圧力で、接着剤が入れられた容器が外れ、緩み、接着剤が漏れ出さないよう強く容器先端と差込口２ａが嵌着する。又、突起２ｂを差込部材２に形成し、接着剤入り容器を突起２ｂに係止してもよい。なお、差込口２ａと接着剤入り容器との嵌着は、差込口２ａ内面にネジ山を形成し、接着剤入り容器とネジ込む方式であってもよい。
【００２１】
底面部材３は、ここでは略円形で、差込部材２と嵌着し内部空間８を形成する。嵌着は接着剤によってもよいし、ねじ山によるネジ込みによる脱着式であったてもよい。ネジ込み脱着式であれば、使用後に、容易に差込部材２と底面部材３を分解し、吐出口６、内部空間８に残存した接着剤を取りだし、洗浄等を行うことで再利用することができ経済的である。
【００２２】
図３に示すように、底面部材３の外側のほぼ中央に、接着対象に設けられた開口に嵌合し、回転方向のズレを防ぐ長方形状の嵌合突起７を設けている。これにより、接着剤を絞り出す位置がズレることがなくなる。
【００２３】
また、複数の吐出口６は、底面部材３の底面３ａ中心部から同心円状に間隔を置き複数列配置されている。さらに、ここでは複数の吐出口６は、隣り合う同心円に位置する内周円の吐出口６が外周円に位置する２つの吐出口６の間に配置されている。これにより、絞り出す面に対して、接着剤が等間隔で、毎回均一に絞り出され、接着面に接着対象を押圧する力により、接着面一面に接着剤が均一に広がり、吐出口６の配置により広がった接着剤中から空気が除かれ、効率的に接着面と接着対象を接着できる。なお、貫通孔６ａの内径は、接着面積、使用される接着剤の粘度、絞り出し量等により適宜最適な径が選択される。
【００２４】
左右のスペーサ４、５は、図１に示すように、その先端部は段差状に形成され、接着剤を絞り出す対象が、移動可能な物体であれば、その形状の外周部に係止、接着剤を絞り出ために力を掛けても、ノズル１がぶれることがない。なお、左右のスペーサの長さは、接着面積、使用される接着剤の粘度、絞り出し量等により適宜最適な長さを選択することができる。
【００２５】
図５は、本発明であるノズルのＡーＡ断面図である。差込部材２と底面部材３が嵌着し、底面部材３の吐出口６が連設する面の裏面のほぼ一面に、差込口２ａから続く内部空間８が形成されている。内部空間の高さは、１ｍｍ〜５ｍｍ程度が好ましく、さらには１ｍｍ〜３ｍｍ程度がより好ましい。
【００２６】
高さが１ｍｍより低いと、粘度ある接着剤が内部空間８一面に流れ込まなく、内部圧力のムラにより、均一に吐出口６から押し出されない。即ち、底面３ａ中心側にある吐出口６と外周方向にある吐出口６の先端から吐出される接着剤量に差が生じ、接着剤を絞り出す対象に絞りムラが出来てしまう。
【００２７】
また、高さが５ｍｍより高いと、絞り出すために大きな力を要し、なによりも内部空間８に残存する接着剤が多量になり経済的でない。
【００２８】
図６は、本発明であるノズルの分解斜視図である。差込部材２と底面部材３とは別体として成形し、内部空間８を残し嵌着する。上述のように、ネジ込み式とすることで、再利用が容易である。なお、差込部材２と底面部材３との嵌着方法は特に限定されない。
【００２９】
図７は、本発明であるノズルの斜視断面図である。ここでは、低圧注入容器１１の補修面に接着する底部材１３の外表面に嵌着する様子を示した。嵌合突起７は、シーリング剤の注入口となる開口１３ａに嵌合し、左右のスペーサ４、５は底部材１３の外縁にその先端の段差部で係止する。なお、開口１３ａの縁は接着剤が絞り出される面より一段高くなった凸部１３ｂが形成されている。凸部１３ｂにより、低圧注入容器１１を補修面に貼り付けたとき、底部材１３に絞り出された接着剤が開口１３ａにはみ出すことを防止し、割れ目に混入することを防止する。
【００３０】
なお、本発明であるノズル１は、低圧注入容器１１にのみに、接着剤を絞り出すことに限定されることなく、あらゆる対象に接着剤を、均一に絞り出すことができるのは勿論である。
【００３１】
図８は、本発明である補修装置の使用状態を示す断面図である。図８（Ａ）〜図８（Ｄ）に従って、接着剤１７を低圧注入容器１１の接着面に絞り出す。補修装置１８は、接着剤１７入り容器１６と、前記容器１６の先端が嵌るノズル１と、低圧注入容器１１からなる。容器１６は、接着剤を入れて販売されているチューブ、接着剤を充填できるピストンなどでよい。
【００３２】
低圧注入容器１１は、シーリング剤の注入流路である開口１３ａを有し、補修面９に貼付される底部材１３と、前記底部材１３の貼付される面と反対側の面の内部を覆い、シーリング剤を充填する充填部１５が連接された弾性体１２と、前記底部材１３と嵌着し、前記弾性体１２の外周部を押圧し固定する押部１４とからなり、前記底部材１３と弾性体１２の間に充填されたシーリング剤を前記弾性体１２の収縮力で前記開口１３ａから割目１０に注入する。
【００３３】
前記充填部１５は、シーリング剤を注入するノズルを差し込む差込路１５ｂを内部に有する突起１５ａと、前記差込路１５ｂの内部末端部を密封し、シーリング剤注入時にノズルの充填圧で開口し、充填したシーリング剤の差込路１５ｂへの逆流を防止する逆止弁１５ｃとからなる。
【００３４】
図８（Ａ）は、低圧注入容器１１の底部材１３と嵌合し、接着剤１７を入れた容器１６であるピストンをノズル１の差込口２ａに嵌め、接着剤１７を内部空間８に送り込む状況を示している。図８（Ｂ）は、さらに容器１６から接着剤１７を送り込むと、内部空間８が接着剤１７で充満され、内部空間８と連結する吐出口６内部の貫通孔６ａに送り込まれる様子を示している。
【００３５】
図８（Ｃ）は、さらに容器１６から接着剤１７を送り続け、吐出口６先端から吐出される接着剤１７の様子を示している。このとき吐出口６長より長い左右のスペーサ４、５が低圧注入容器１１の外縁に係止され、低圧注入容器１１の接着面と吐出口６先端とに一定の距離（Ｌ／図中）を形成している。図８（Ｄ）は、接着剤を低圧注入容器１１の接着面に絞り出した後の様子を示している。左右のスペーサ４、５により、距離（Ｌ）が確保されており、接着剤に粘度があるため、接着剤が滴状に絞り出され、吐出口６から液だれもしない。
【００３６】
図９は、本発明である補修装置による補修状況を示す図である。図８（Ｄ）で示した接着剤１７を絞り出した低圧注入容器１１を補修面９にある割目１０に、底部材１３の開口１３ａが位置するように押圧し貼り付ける。押圧により滴状に絞り出した接着剤１７が広がり、補修面９と低圧注入容器１１が接着剤１７を介して貼り付けられる。ここで補修面９とは、壁面、木材、床面、路面などであり、低圧注入容器１１などの接着対象を接着する面のことである。
【００３７】
割目１０の補修方法について説明する。先ず、低圧注入容器１１を貼り付け、接着剤１７が乾燥し、しっかり低圧注入容器１１が補修面に貼り付けられた後、低圧注入容器１１にシーリング剤を充填する。シーリング剤の充填は、充填部１５の差込路１５ｂに、シーリング剤が充填された容器の先端部にあるノズルを挿入し、シーリング剤を充填し、充填圧で逆止弁１５ｃを開口し、シリコンなどの弾性体１２膜と底部材１３の間に充填する。シーリング剤の充填により弾性体１２は伸張しドーム状に盛り上がる。
【００３８】
次ぎに、伸張した弾性体１２の収縮力により、開口１３ａからシーリング剤が割目１０に徐々に注入される。シーリング剤の注入が終了した後、低圧注入容器１１を剥がし、接着剤１７を削り、定法による補修（研磨、塗装など）を行う。
【実施例２】
【００３９】
次ぎに、ノズルの第２の実施例について説明する。図１０は、本発明であるノズルの第２の実施例の斜視図である。
【００４０】
ノズル１ａは、実施例１のノズル１において、左右のスペーサ４、５を外周部一面に形成したスペーサ５ａに変更したものである。また、吐出口６の長さ、即ち貫通孔６ａの長さ（高さ）を全部又は一部を変更した吐出口としたものである。また、貫通孔６ａの内径も変更している。その他の構成については実施例１と同様である。これにより、対象物の全面でなく部分的に接着剤１７を塗布すること、塗布量を調整することができる。
【００４１】
図１１は、本発明であるノズルの第２の実施例の使用状態を示す一部断面図である（嵌合突起７は省略した）。図１１（Ａ）〜図１１（Ｅ）に従って、接着剤１７を低圧注入容器１１の接着面に絞り出す。補修装置１８ａは、先の補修装置１８において、ノズル１をノズル１ａに変更した装置である。ノズル１ａ以外の構成について実施例１と同様である。
【００４２】
図１１（Ａ）に示すように、接着剤１７が容器１６から差込口２ａに押し出される。差込口２ａが接着剤１７で充満すると、図１１（Ｂ）に示すように、接着剤１７は内部空間８に中心から外側に向かって押し込まれる。
【００４３】
このとき、貫通孔６ｄ、６の内径を内部空間８の高さ（Ｈ）より短くするとよい。そのようにすると、接着剤１７に粘度があるため、底面３ａの中心部付近の吐出口６ｂ、６ａの先端から先行して接着剤１７が漏れ出すことがないように調整することができる。
【００４４】
つづいて、図１１（Ｃ）に示すように、内部空間８を満たした接着剤１７が、広い内径の貫通孔に先行して進行する。さらに図１１（Ｄ）、（Ｅ）に示すように、貫通孔の径・高さ、即ち吐出口先端から底部材１３の高さ調整することで、接着剤１７の吐出量を調整することができる。
【００４５】
なお、図１１（Ｆ）に、底面部材３ｂの一部拡大図を示した。ここでは、底面部材３ｂの中心から外方向に向かって、吐出口の内径（ｄ）を広くし（細・中・太）し、貫通孔の高さ（ｈ）を短く（高・中・低）してある。従って、ノズル１ａでは、底面部材３ｂの中心方向の接着剤１７の吐出量が少なく、外側方向の接着剤１７の吐出量が多くなる。このように、貫通孔の高さ即ち吐出口の長さと、貫通孔の内径を複数の吐出口の一部、又は全てにおいて、変更することで、部分的に接着剤１７の吐出量を調節することができる。
【図面の簡単な説明】
【００４６】
【図１】本発明であるノズルの正面図である。
【図２】本発明であるノズルの平面図である。
【図３】本発明であるノズルの背面図である。
【図４】本発明であるノズルの左側面図である。
【図５】本発明であるノズルのＡーＡ断面図である。
【図６】本発明であるノズルの分解斜視図である。
【図７】本発明であるノズルの斜視断面図である。
【図８】本発明である補修装置の使用状態を示す断面図である。
【図９】本発明である補修装置による補修状況を示す図である。
【図１０】本発明であるノズルの第２の実施例の斜視図である。
【図１１】本発明であるノズルの第２の実施例の使用状態を示す一部断面図である。
【符号の説明】
【００４７】
１      ノズル
１ａ    ノズル
２      差込部材
２ａ    差込口
２ｂ    突起
２ｃ    側壁
３      底面部材
３ａ    底面
３ｂ    底面部材
４      スペーサ
５      スペーサ
５ａ    スペーサ
６      吐出口
６ａ    貫通孔
６ｂ    吐出口
６ｃ    吐出口
６ｄ    貫通孔
６ｅ    貫通孔
７      嵌合突起
８      内部空間
９      補修面
１０    割目
１１    低圧注入容器
１２    弾性体
１３    底部材
１３ａ  開口
１３ｂ  凸部
１４    押部
１５    充填部
１５ａ  突起
１５ｂ  差込路
１５ｃ  逆止弁
１６    容器
１７    接着剤
１８    補修装置
１８ａ  補修装置
【図１】
2008296194.tif 000003
【図２】
2008296194.tif 000004
【図３】
2008296194.tif 000005
【図４】
2008296194.tif 000006
【図５】
2008296194.tif 000007
【図６】
2008296194.tif 000008
【図７】
2008296194.tif 000009
【図８】
2008296194.tif 000010
【図９】
2008296194.tif 000011
【図１０】
2008296194.tif 000012
【図１１】
2008296194.tif 000013